(57)【要約】【課題】ＣＭ集ファイルを作成し、このＣＭ集ファイルに各種番組のＣＭを収録できるようにした映像信号処理装置及び映像信号処理方法を提供する。【解決手段】本実施形態では、ＣＭ抽出部２１１が各種の番組の番組信号の中からＣＭ信号を抽出する。重複ＣＭ判定部２１４が抽出したＣＭ信号はＣＭ集ファイル内の既保存ＣＭ信号グループに含まれているか否かを判定する。選択部２２０は、前記抽出したＣＭ信号が前記既保存ＣＭ信号グループに含まれている場合、前記抽出したＣＭ信号を破棄し、前記既保存ＣＭ信号グループに含まれていない場合、前記抽出したＣＭ信号を前記既存ＣＭ信号グループに追加する。【選択図】図２
2013074480.tif 000002
【特許請求の範囲】
【請求項１】
各種の番組の番組信号の中からＣＭ信号を抽出するＣＭ抽出部と、
抽出したＣＭ信号が、ＣＭ集ファイル内の既保存ＣＭ信号グループに含まれているか否かを判定する重複ＣＭ判定部と、
前記抽出したＣＭ信号が前記既保存ＣＭ信号グループに含まれている場合、前記抽出したＣＭ信号を破棄し、前記既保存ＣＭ信号グループに含まれていない場合、前記抽出したＣＭ信号を前記既存ＣＭ信号グループに追加する選択部と、
を有する映像信号処理装置。
【請求項２】
さらにＣＭ集ファイル内の前記既保存ＣＭ信号グループの各ＣＭ信号をグループ分け可能な分類項目を前記各ＣＭ信号に付加するＣＭ編集部を有する請求項１記載の映像信号処理装置。
【請求項３】
前記分類項目は、前記各ＣＭ信号に付加されたヘッダ情報であり、前記ヘッダ情報は、前記各ＣＭ信号を収録日時に応じてソート可能な日時情報を含む請求項１記載の映像信処理装置。
【請求項４】
前記ヘッダ情報の領域は、ＣＭに出演した出演者名、ＣＭ商品名、スポンサー情報、ＣＭが含まれた本編の番組情報の少なくとも１つを記述する領域を含む請求項３記載の映像信処理装置。
【請求項５】
さらに、前記ＣＭ集ファイル内の既存ＣＭ信号グループに対して、視聴すべきＣＭ信号を指定するためのＣＭ視聴制御部が設けられている請求項２記載の映像信号処理装置。
【請求項６】
前記ＣＭ視聴制御部は、前記各ＣＭ信号に付加された前記分類項目を参照して、日時指定で視聴する、商品分類指定で視聴する、出演者指定で視聴するの、少なくとも１つを設定可能としている請求項５記載の映像信号処理装置。
【請求項７】
前記分類項目には、前記ＣＭ信号の代表画像も含まれる請求項２記載の映像信号処理装置。
【請求項８】
ＣＭ抽出部で、各種の番組の番組信号の中からＣＭ信号を抽出し、抽出した信号を制御部で制御する映像信号処理方法であって、
前記制御部が、抽出したＣＭ信号が、ＣＭ集ファイル内の既保存ＣＭ信号グループに含まれているか否かを判定し、
前記抽出したＣＭ信号が前記既保存ＣＭ信号グループに含まれている場合、前記抽出したＣＭ信号を破棄し、前記既保存ＣＭ信号グループに含まれていない場合、前記抽出したＣＭ信号を前記既存ＣＭ信号グループに追加するようにした映像信号処理方法。
【請求項９】
さらにＣＭ集ファイル内の前記既保存ＣＭ信号グループの各ＣＭ信号をグループ分け可能な分類項目を前記各ＣＭ信号に付加する請求項８記載の映像信号処理方法。
【請求項１０】
前記分類項目は、前記各ＣＭ信号に付加されたヘッダ情報であり、前記ヘッダ情報は、前記各ＣＭ信号を収録日時に応じてソート可能な日時情報、ＣＭに出演した出演者名、ＣＭ商品名、スポンサー情報、ＣＭが含まれた本編の番組情報の少なくとも１つを含む請求項９記載の映像信処理方法。
【発明の詳細な説明】
【技術分野】
【０００１】
本発明の実施形態は映像信号処理装置及び映像信号処理方法に関する。
【背景技術】
【０００２】
近年、テレビジョン受信装置及び又は録画再生装置において、放送番組の本編とコマーシャル（以下ＣＭ（commercial message））部分とを識別する技術が開発されている。例えば録画再生装置において、番組本編の途中にＣＭが挿入されている番組を録画する場合、番組本編が連続している各区間と、ＣＭが連続している各区間とにそれぞれタイトルを付けて、記録媒体に録画する技術がある。この録画再生装置では、番組本編だけを再生したりＣＭだけを再生したりすることができる。
【０００３】
またコンテンツの受信再生装置において、同一の部分コンテンツを複数回ダウンロードするのを防止し、コンテンツのダウンロード及び再生を効率化する技術がある。この技術は、新規プレイリスト取得時に既プレイリストと比較し、重複が検出された部分コンテンツを除くコンテンツを取得し、重複したコンテンツの取得を防止している。
【先行技術文献】
【特許文献】
【０００４】
【特許文献１】特開２００７−４３４０３号公報
【特許文献２】特開２０１０−２２５０３号公報
【発明の概要】
【発明が解決しようとする課題】
【０００５】
最近では、同時に複数のチャンネルを受信し、複数の番組を録画できる再生装置やテレビジョン受信装置が開発されている。各番組にはＣＭ部分が挿入されており、これらＣＭ部分に興味をもつ視聴者も増加しつつある。
【０００６】
本実施形態は、ＣＭ集ファイルを作成し、このＣＭ集ファイルに各種番組のＣＭを収録できるようにした映像信号処理装置及び映像信号処理方法を提供することを目的とする。
【課題を解決するための手段】
【０００７】
実施形態によれば、番組信号の中からＣＭ信号を抽出するＣＭ抽出部と、
抽出したＣＭ信号が、ＣＭ集ファイル内の既保存ＣＭ信号グループに含まれているか否かを判定する重複ＣＭ判定部と、
前記抽出したＣＭ信号が前記既保存ＣＭ信号グループに含まれている場合、前記抽出したＣＭ信号を破棄し、前記既保存ＣＭ信号グループに含まれていない場合、前記抽出したＣＭ信号を前記既存ＣＭ信号グループに追加する選択部と、を有する。
【図面の簡単な説明】
【０００８】
【図１】本実施形態が適用されている映像信号処理装置の構成を概略的に示す図である。
【図２】本実施形態の構成の一例を示す図である。
【図３】本実施形態の一動作例を説明するために示すフローチャートである。
【図４】本実施形態の他の動作例を説明するために示すフローチャートである。
【図５】本実施形態の一動作例を説明するために示す参考図である。
【図６】本実施形態のＣＭ集ファイルの一構成例を示す図である。
【図７】本実施形態においてＣＭ集ファイルのＣＭ信号を利用する際の手段の一例を画面上で説明するために示す図である。
【図８】本実施形態においてＣＭ集ファイルのＣＭ信号を利用する際の手段の他の例を画面上で説明するために示す図である。
【図９】本実施形態においてＣＭ集ファイルのＣＭ信号を利用する際の手段のさらに他の例を画面上で説明するために示す図である。
【図１０】本実施形態においてＣＭ集ファイルのＣＭ信号を利用する際の手段のまた他の例を画面上で説明するために示す図である。
【図１１】本実施形態においてＣＭ集ファイルのＣＭ信号を利用する際の手段のまた他の例を画面上で説明するために示す図である。
【発明を実施するための形態】
【０００９】
以下、実施の形態について図面を参照して説明する。図１は、本実施形態が適用されたテレビジョン受信装置或いは記録再生装置の概略構成を示している。１１は、チューナ装置であり、複数のチューナが内蔵されており、同時に複数のチャンネルを受信し、複数の放送番組を復調することができる。チューナ装置１１には、入力端子ＡＮ１，・・・ＡＮｎを介してアンテナで受けられた高周波信号が入力される。入力端子ＢＮ１は、外部入力端子であり、ケーブル或いはネットワーク或いは他の機器からからの信号が入力する。
【００１０】
セレクタ１２は、チューナ装置１１からの復調信号（ストリーム信号）、或いは入力端子ＢＮ１からの信号を制御部２０からの制御の元で選択して出力する。セレクタ１２で選択された制御ストリームは、制御部２０に入力する。セレクタ１２で選択された番組信号のストリームは、信号処理部１３に入力される。
【００１１】
信号処理部１３は、入力した番組信号のストリームの内、例えば視聴される番組のストリームを復号処理し、復号された映像信号を出力部１４に出力する。出力部１４では制御部２０からのグラフィック映像信号（番組表画像信号、メニュー画像信号など）が、番組映像信号に多重される。また出力部１４では、映像信号のサイズ、スケール変換、解像度処理などが行われ、表示器１５に出力される。
【００１２】
制御部２０は、周辺に接続されているブロックを統括的に制御している。またリモートコントローラ２２からの操作信号が、受信部２１を介して制御部２０に入力される。これによりユーザの操作が装置全体に反映される。
【００１３】
制御部２０にはリードオンリーメモリ（ＲＯＭ）２６が接続されている。ＲＯＭ２０６、制御部２０が利用する各種のプログラムが格納されている。制御部２０にはランダムアクセスメモリ２３が接続されている。このメモリ２３は、一時的なデータの保存部、演算処理のためのプログラムの展開部として利用される。さらに制御部２０にはハードディスクドライブ（ＨＤＤ）２４が接続されている。ＨＤＤ２４は、番組信号を録画及び再生するための媒体として利用される。また制御部２０にはＢＤ/ＤＶＤドライブ２５が接続されている。ＢＤ/ＤＶＤドライブ２５もまた、番組信号を録画及び又は再生するための媒体として利用される。さらにまた、制御部２０には、ＵＳＢケーブルを介して、キーボード２７を接続することができる。ユーザは、ある動作モードにおいては、表示器１５を見ながらキーボード２７を操作して、データ（文字、図形など）を入力することができる。制御部２０には、ＣＭ信号処理部２０１が含まれる。ＣＭ信号処理部２０１は、例えばＨＤＤ２４との間で、ＣＭ管理のための動作を実行する。したがって、ＣＭ信号処理部２０１はＨＤＤ２４内のハードディスクに記録されているファイルシステム内のファイル管理情報を把握している。
【００１４】
図２には、ＣＭ信号処理部２０１の基本構成を示している。ＣＭ信号処理部２０１は、ユーザ操作に従って、ＣＭ記録を行う「ＣＭ記録モード」を設定されることができる。ＣＭ信号処理部２０１は、ＣＭ抽出部２１１を有する。ＣＭ抽出部２１１は、「ＣＭ記録モード」が設定されている場合、録画する番組及び又は視聴する番組信号の中からＣＭ信号を検出する。
【００１５】
ＣＭ信号が検出されたとき、ＣＭ集ファイル管理部２１２は、ＣＭ集ファイルが存在するかどうかを判断する。初期状態のときは、ＣＭ集ファイルが存在しないために、ＣＭ集ファイル作成部２１３がＣＭ集ファイルを作成し、ＨＤＤ２４のハードディスクに記録する。
【００１６】
ＣＭ信号が抽出されたとき、ＣＭ集ファイルが存在する場合は抽出されたＣＭ信号は、判定部２１４のバッファ２１５に格納される。抽出されたＣＭ信号は、ＣＭ集ファイル読出し部２１６から読み出された既存ＣＭ信号グループ内の各既存ＣＭ信号と比較される。この比較は比較器２１７において実施される。
【００１７】
抽出したＣＭ信号が、既存ＣＭ信号グループ内の何れかの既存ＣＭ信号と一致又は大半が類似する場合、「既存ＣＭあり」と判定され、不一致の場合「既存ＣＭ無し」と判定される。「既存ＣＭあり」と判定された場合、「抽出されたＣＭ信号」は、選択部２２０により破棄処理２２１される。「既存ＣＭ無し」と判定された場合、「抽出されたＣＭ信号」は、選択部２２０によりＣＭ集ファイルへ追加処理２２２される。
【００１８】
図３は、本実施形態の一動作例を説明するために示したフローチャートである。番組信号にＣＭ信号区間があるかどうかの判定が行われる（ステップＳ１）。ＣＭ信号区間が検出された場合、既にＣＭ集ファイルが作成されているかどうかの判定がなされる（ステップＳ２）。ＣＭ集ファイルが無い場合には、ＣＭ集ファイルが新規に作成され、このファイルにＣＭ信号が格納される（ステップＳ６）。既にＣＭ集ファイルが存在した場合は、ＣＭ集に抽出した新しいＣＭ信号が追加される（ステップＳ５）。
【００１９】
図４は、抽出した新しいＣＭ信号がＣＭ集ファイルに格納される前に、重複されて格納されるのを防止する機能を有する処理手順を示している。即ち、図３と同一処理部には、同一符号を付して説明は省略する。図４では、ステップＳ２で既にＣＭ集ファイルが存在することが判明した後、ＣＭ信号の映像信号の解析及び又は音声信号の解析が行われる（ステップＳ３）。そして、抽出したＣＭ信号と、既存のＣＭ信号との間で、解析結果が一致又は極めて類似するＣＭ同士があるか否かの判定が行われる（ステップＳ４）。この判定の結果、重複ＣＭ信号が検出された場合は、抽出したＣＭ信号は破棄され、重複ＣＭ信号が検出されない場合は、抽出したＣＭ信号が既存ＣＭ集に追加される。
【００２０】
なおＣＭ検出方法は、各種の公知技術があるので、ここでは説明は省略している。また映像信号の解析及び又は音声信号の解析技術としても各種の公知技術がある。
【００２１】
例えば、抽出したＣＭ信号の映像信号の周波数成分の分布、或いは輝度信号ヒストグラムの分布データを作成し、既存のＣＭ信号のものと相似であるかどうかを判断することで、抽出した新しいＣＭ信号と同じＣＭ信号がすでに保存されているかどうかを判定することができる。
【００２２】
図５は、複数の番組Ａ−ＤのＣＭ信号を、ＣＭ集ファイルに格納した場合のイメージ図である。複数の番組Ａ−Ｄは、本編の映像信号及びＣＭ信号が一体となって、例えばＨＤＤに記録されていても良いし、本編の映像信号のみがＨＤＤに記録されていても良い。本実施形態の場合は、多くの番組信号（チャンネルが異なっていてもよい）から、ＣＭ信号を抽出して、ＣＭ集ファイルに格納している。従って、すべてのＣＭ信号を収集すると、同じＣＭ信号が重複して収集される可能性が高いので、重複ＣＭ信号が収集されるのを防止している。
【００２３】
図６は、ＣＭ集ファイルの構成例を示している。ＣＭ集ファイルには、ＣＭ１，ＣＭ２，・・・・ＣＭｎがデジタル映像データとして収録されている。さらに各ＣＭには、それぞれヘッダ情報（分類項目と称してもよい）が作成されて付加されている。ヘッダ情報領域には、収録日時情報、代表画像（サムネイル）、ＣＭ出演人物情報、ＣＭ番組情報、スポンサー情報、オーディオ解析データ、映像信号解析データ、オーディオ制御情報、画質制御情報などを記入する領域が確保されている。
【００２４】
収録日時情報は、ＣＭを収録した日時情報である。代表画像（サムネイル）は、ＣＭの開始時、或いは開始から数秒経過あとのフレームを用いて作成し、ＣＭの特徴が分かりやすい画像が好ましい。この代表画像は、自動的に作成されていてもよいし、或いは後でＣＭ編集処理時に利用者が選択して作成してもよい。ＣＭ出演人物情報は、例えばＣＭ編集時にキーボードを用いて出演者の愛称、或いは名前を入力したものである。スポンサー情報は、同じくＣＭ編集時にキーボードを用いて入力されており、スポンサーの名称（会社名）、ＣＭされている商品名、商品の分類項目などを含む情報である。オーディオ解析データ、映像信号解析データは、例えば、抽出したＣＭ信号の映像データの周波数成分の分布、或いは輝度信号ヒストグラムの分布データである。ここに格納しておくことにより、新しく抽出したＣＭ信号と既存のＣＭ信号との重複を調べる際に有効である。
【００２５】
オーディオ制御情報は、ＣＭ信号再生時のオーディオ出力制御情報であり、画質制御情報は、ＣＭ信号再生時の映像を制御する情報である。この制御情報を用いることにより、例えば以下のような対応が可能である。例えば、ＣＭ信号の中のオーディオ（例えば音楽）だけが好みであり、映像は見たくない場合、映像を暗くし、オーディオのみが出力されるように制御することができる。或いは逆に、映像のみを出力し、オーディオを絞って出力することも可能である。
【００２６】
上記したヘッダ情報を活用することで、ＣＭ集をグループ分けするなど種々の活用が可能となる。したがって、ヘッダ情報として設定する情報は、ここに記載されたものだけでなく、例えば、誰が編集したか、また好みに応じてランク付けをするなどの項目を設けてもよい。
【００２７】
図７は、ＣＭ信号処理部２０１に含まれるＣＭ管理部３１１におけるＣＭ管理状態をモニタする画面の例である。例えばリモートコントローラのメニューボタンを押すと、画面１５１に示されるように、項目「メニュー」が表示され、この中に項目「ＣＭ管理」が含まれている。ユーザが、項目「ＣＭ管理」をリモートコントローラによるカーソル操作で選択し、決定ボタンを押すと、画面１５２が表示される。この画面１５２には、ＣＭの記録を行うか否かを決める項目「ＣＭ記録」があり、項目「する」を選択して決定ボタンを押すと、ＣＭ記録モードが設定される。ＣＭ記録モードが設定された場合、図３、図４、及び図５で説明した動作が得られる。
【００２８】
さらに画面１５２には、項目「ＣＭ信号編集」がある。この項目「ＣＭ信号編集」に対して項目「する」を選択すると、後で、図８で説明する動作モードに移行する。また画面１５２には、項目「ＣＭを見る」がある。この項目「ＣＭを見る」に対して項目「する」を選択すると、後で、図９で説明する動作モードに移行する。
【００２９】
図８は、画面１５２で項目「ＣＭ信号編集」の動作モードに移行した場合に表示される画面１５３の例である。この画面１５３が表示されたときは、ＣＭ信号処理部２０１に含まれるＣＭ編集部３１２が動作する。このときは、画面１５３には、代表画像１７１が表示される。また収録日時が領域１７２に表示される。
【００３０】
さらに領域１７３には、ＣＭに出演している出演者名がキーボードを介して入力されることができる。また領域１７４には、ＣＭと同時に放送された番組の番組名、チャンネル、放送時間などが表示される。この情報は、電子番組情報（ＥＰＧ）から自動的に取得することができ、選択部２２０において自動的に所定のエリアに記述される。領域１７５には、ＣＭのスポンサー名（会社名など）がキーボードを介して入力されることができる。
【００３１】
さらに領域１７６には、ＣＭの商品名、ＣＭの分類情報などがキーボードを介して入力されることができる。領域１７８には、先に説明した画質制御情報、オーディオ制御情報を入力することができる。情報の入力方法は各種であり、例えばバー表示において、バーの長さを可変させる方式、或いはレベル値の選択方式などがある。
【００３２】
なお文字図形などの判別装置や音声判別装置を用いて、スポンサーとなっている会社、商品名などを自動的に判断するようにしてもよい。この場合は、予め比較データとして、ロゴマークデータ、音声データなどを比較用メモリに登録し、映像から取得したマークや音声データとの比較結果で判定することが好ましい。またこの処理を行う場合は、比較的時間を要するので、一旦録画した映像信号を読み出して、自動的に編集作業を行う機能を設けるほうが好ましい。
【００３３】
画面１５３上のヘッダ情報は、ボタン「次」を操作することにより、次のＣＭ信号のヘッダ情報に切換る。
【００３４】
図９は、画面１５２で、項目「ＣＭを見る」の動作モードに移行した場合に表示される画面１５４の例である。この画面１５４では、先のヘッダ情報を有効に活用できる項目が表示される。項目としては「順番に視聴」、「日時指定」、「スポンサー指定」、「商品分類指定」、「出演者指定」などがある。画面１５４において、「順番に視聴」が選択されて決定ボタンが押された場合、ＣＭ集ファイルに収録されているＣＭが順番に再生される。画面１５４において、「日時指定」が選択されて決定ボタンが押された場合、日時指定画面が現れる。この画面で、日時を指定すると指定した日時に放送されたＣＭが再生される。また画面１５４において、「商品分類」が選択されて決定ボタンが押された場合、商品分類を指定するための画面が現れる。この画面で、所望の商品分類を指定すると、指定した商品分類に関係したＣＭの再生が得られる。また画面１５４において、「出演者指定」が選択されて決定ボタンが押された場合、出演者を指定するための画面が現れる。この画面で、所望の出演者を指定すると、指定した出演者によるＣＭの再生が得られる。
【００３５】
図１０（Ａ）は画面１５４において、例えば日時指定が行われた場合の画面１５６の例を示している。この画面１５６では、指定する日時を入力する項目が現れるので、任意の日時をユーザが入力する。入力ツールは、リモートコントローラでもキーボードでもいずれでもよい。そして、決定ボタンを操作し、再生ボタンを操作すると日時を入力した順番に、ＣＭ信号の再生が実施される。
【００３６】
図１０（Ｂ）は画面１５４において、例えばスポンサーの指定が行われた場合に現れる画面１５７の例を示している。複数のスポンサーが表示されるので、ユーザは、カーソル操作により、所望のスポンサー名を選択し、そして、決定ボタンを操作し、再生ボタンを操作すると、選択した順番に選択したスポンサーによるＣＭ信号の再生が実施される。このとき日時情報を併用してもよい。
【００３７】
図１０（Ｃ）は画面１５４において、例えば商品分類の指定が行われた場合に現れる画面１５８の例を示している。複数の商品分類が表示されるので、ユーザは、カーソル操作により、所望の商品分類（例えば、食品、自動車、家具、薬、おもちゃ・・・）名を選択し、そして、決定ボタンを操作し、再生ボタンを操作すると、選択した順番に選択した商品分類のＣＭ信号の再生が実施される。このとき日時情報を併用してもよい。
【００３８】
図１１は画面１５４において、例えば出演者の指定が行われた場合に現れる画面１５９の例を示している。
【００３９】
画面１５９では、複数のＣＭの代表画像、ＣＭ出演人物情報、ＣＭ番組情報、スポンサー情報などが表示される。視聴者は、任意の出演者或いは代表画像の項目のボタン指定し、決定ボタンを操作し、再生ボタンを操作すると、選択した順番に選択したＣＭ信号の再生が実施される。このとき日時情報を併用してもよい。
【００４０】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
１１・・・チューナ装置、１２・・・セレクタ、１３・・・信号処理部、１４・・・出力部、１５・・・表示器、２０・・・制御部、２１・・・受信部、２３・・・メモリ、２４・・・ＨＤＤ、２５・・・ＢＤ/ＤＶＤドライブ、２７・・・キーボード、２０１・・・ＣＭ信号処理部、２１１・・・ＣＭ抽出部、２１２・・・ＣＭ集ファイル管理部、２１３・・・ＣＭ集ファイル作成部、２１４・・・判定部、２２０・・・選択部。
【図１】
2013074480.tif 000003
【図２】
2013074480.tif 000004
【図３】
2013074480.tif 000005
【図４】
2013074480.tif 000006
【図５】
2013074480.tif 000007
【図６】
2013074480.tif 000008
【図７】
2013074480.tif 000009
【図８】
2013074480.tif 000010
【図９】
2013074480.tif 000011
【図１０】
2013074480.tif 000012
【図１１】
2013074480.tif 000013